(57)【要約】【課題】  薄型の分岐ブレーカが多数組み付けられた分電盤であっても、分岐ブレーカの２次側端子への分岐電路の接続を容易に実施できる分岐ブレーカ用コネクタを提供する。【解決手段】  筒状の雌形コネクタ２ｂと、雌形コネクタ２ｂに挿入して電気的に連結される雄形コネクタ２ａとを有し、雌形コネクタ２ｂ及び雌形コネクタ２ａのうちの一方に、分岐ブレーカ１の２次側端子１２に接続された電線３ａが接続され、他方に負荷へ至る分岐電路の電線３ｂが接続されて、電線同士が対向して連結される。【選択図】  図１
2019164912.tif 000002
【特許請求の範囲】
【請求項１】
筒状の雌形コネクタと、当該雌形コネクタに挿入して電気的に連結される雄形コネクタとを有し、
前記雌形コネクタ及び前記雌形コネクタのうちの一方に、分岐ブレーカの２次側端子に接続された電線が接続され、他方に負荷へ至る分岐電路の電線が接続されて、電線同士が対向して連結されることを特徴とする分岐ブレーカ用コネクタ。
【請求項２】
前記雌形コネクタは、周囲にドーナツ形鉄心を備えた変流器が取り付けられて成り、接続された電線に流れる電流の計測が可能であることを特徴とする請求項１記載の分岐ブレーカ用コネクタ。
【発明の詳細な説明】
【技術分野】
【０００１】
本発明は、分岐ブレーカの２次側端子への分岐電路を構成する電線の接続をし易くするコネクタに関する。
【背景技術】
【０００２】
幅の狭い薄型の分岐ブレーカは、分電盤を大型化すること無く多数の分岐電路を形成できるため普及が進んでいる。
例えば、特許文献１に記載の分電盤では、小型の分電盤で有りながら、幅が１０ｍｍ程度の分岐ブレーカを組み付けることで、多くの分岐電路の形成を可能としている。
【先行技術文献】
【特許文献】
【０００３】
【特許文献１】特開２０１１−２４９０３７号公報
【発明の概要】
【発明が解決しようとする課題】
【０００４】
薄型の分岐ブレーカを使用することで、特許文献１に示すように多数の分岐電路を設けることができた。しかしながら、分岐ブレーカを薄くして多数の分岐ブレーカを隣接配置するため、従来に比べて２次側の配線は密になり、従来のように十分な配線スペースの確保が難しかった。加えて、分岐ブレーカの２次側端子は縦配置されているため、配線の接続を更に困難なものにしていた。
【０００５】
そこで、本発明はこのような問題点に鑑み、薄型の分岐ブレーカが多数組み付けられた分電盤であっても、分岐ブレーカの２次側端子への分岐電路の接続を容易に実施できる分岐ブレーカ用コネクタを提供することを目的としている。
【課題を解決するための手段】
【０００６】
上記課題を解決する為に、請求項１の発明に係る分岐ブレーカ用コネクタは、筒状の雌形コネクタと、当該雌形コネクタに挿入して電気的に連結される雄形コネクタとを有し、雌形コネクタ及び雌形コネクタのうちの一方に、分岐ブレーカの２次側端子に接続された電線が接続され、他方に負荷へ至る分岐電路の電線が接続されて、電線同士が対向して連結されることを特徴とする。
この構成によれば、分岐電路の電線は直接分岐ブレーカに接続せず、分岐ブレーカ用コネクタに接続すれば良いため、薄型の分岐ブレーカが使用されて分岐ブレーカの２次側端子周辺の配線エリアが狭く接続し辛くても、分岐ブレーカへの分岐電路の接続を無理なく実施できる。また、電線同士は対向して連結されるため、連結操作し易い。
【０００７】
請求項２の発明は、請求項１に記載の構成において、雌形コネクタは、周囲にドーナツ形鉄心を備えた変流器が取り付けられて成り、接続された電線に流れる電流の計測が可能であることを特徴とする。
この構成によれば、コネクタに電流計測機能が備わっているため、分岐ブレーカに流れる電流を計測でき、別途分岐電路に電流センサを設ける必要がない。
【発明の効果】
【０００８】
本発明によれば、分岐電路の電線は直接分岐ブレーカに接続せず、分岐ブレーカ用コネクタに接続すれば良いため、薄型の分岐ブレーカが使用されて分岐ブレーカの２次側端子周辺の配線エリアが狭く接続し辛くても、分岐ブレーカへの分岐電路の接続を無理なく実施できる。また、電線同士は対向して連結されるため、連結操作し易い。
【図面の簡単な説明】
【０００９】
【図１】本発明に係る分岐ブレーカ用コネクタの一例を示し、分岐ブレーカに接続した状態の説明図である。
【図２】図１に示す分岐ブレーカ用コネクタの説明図であり、（ａ）が雄形と雌形を分離した図、（ｂ）は分解図、（ｃ）は分解した縦断面図である。
【図３】一方の２次側配線のみに分岐ブレーカ用コネクタを使用した説明図である。
【図４】分岐ブレーカ用コネクタの他の形態を示す説明図である。
【図５】図４の分岐ブレーカ用コネクタを分岐ブレーカに接続した状態を示す説明図である。
【発明を実施するための形態】
【００１０】
以下、本発明を具体化した実施の形態を、図面を参照して詳細に説明する。図１は本発明に係る分岐ブレーカ用コネクタ（以下、単に「コネクタ」と称する。）の一例を示し、分岐ブレーカに接続した状態を示している。１は分岐ブレーカ、２はコネクタ、３（３ａ，３ｂ）は電線、Ｌは電線３を収容して負荷に至る分岐電路を構成しているケーブルである。
【００１１】
分岐ブレーカ１は、背面に電源側端子（１次側端子）１１、前面に負荷側端子（２次側端子）１２が配置され、上面にオン／オフ操作する操作ハンドル１３が配置されて、幅が略１０ｍｍと薄型に形成されている。この分岐ブレーカ１は、単相３線式電路に適用するよう構成され、１次側端子、２次側端子共に３端子を有している。
１次側端子１１は、分電盤内に配設されているバスバー（図示せず）を把持して連結する速結端子で形成され、２次側端子１２は電線挿入孔を有して挿入された電線３を内部で図示しない端子金具が挟持して連結する速結端子となっている。
尚、分電盤に組み付けられた状態では、操作ハンドル１３が配置された上面が、分電盤の前方に向けられる。
【００１２】
図２はコネクタ２を示し、（ａ）は分離した図、（ｂ）は分解図、（ｃ）は分解した縦断面図である。図２に示すように、コネクタ２は雄形コネクタ２ａと、雄形コネクタ２ａを挿入して連結される雌形コネクタ２ｂとで構成されている。雄形コネクタ２ａは、中心軸に沿って孔２１が貫設された金属性の筒体であり、一端に電線３を挿入する電線孔２１ａを有し、電線孔２１ａの奥に芯線導体Ｃを挿入する芯線孔２１ｂが形成されている。挿入された芯線導体Ｃはかしめ等で固着される。
【００１３】
雌形コネクタ２ｂは、中心軸に沿って孔２２が貫設された筒体であり、合成樹脂製の外筒２３と、金属製の内筒２４とから構成されている。先端側である一端には雄形コネクタ２を挿入する連結孔２２ａが形成され、基端側には電線３を挿入する接続孔２２ｂが形成されている。接続孔２２ｂの奥には、挿入された電線３の芯線導体Ｃを挿入する芯線孔２２ｃが形成されている。
連結孔２２ａと芯線孔２２ｃとは、内筒２４により一体形成され、挿入された電線３と雄形コネクタ２ａとの電気的な連結を実施している。
【００１４】
上記の如く構成されたコネクタ２は、以下のような手順で装着される。まず、雄形コネクタ２ａを一端に取り付けた略５０ｍｍ程度の電線３ａの他端を、分電盤に組み付けた分岐ブレーカ１の２次側端子１２に接続する。尚、分岐ブレーカ１に接続してから分電盤に組み付けても良い。
こうして分岐ブレーカ１は、単相３線式電路に組み付ける構成であるため、２つの電圧相端子と中性相端子の３端子を有するが、選択した２つの２次側端子１２に電線３ａを介して雄形コネクタ２ａがそれぞれ接続される。
【００１５】
個々の分岐ブレーカ１の２次側端子１２に２つの雄形コネクタ２ａが接続されたら、この雄形コネクタ２ａに、分岐電路を形成するケーブルＬの電線３ｂが接続された雌形コネクタ２ｂが接続される。この結果、図１に示す接続状態となる。
尚、雄形コネクタ２ａと雌形コネクタ２ｂの配置は逆でも良く、分岐ブレーカ１側に雌形コネクタ２ｂを配置しても良い。
【００１６】
このように、分岐電路の電線３はコネクタ２に接続すれば良く、薄型の分岐ブレーカ１が使用されて分岐ブレーカ１の２次側端子１２周辺の配線エリアが狭く接続し辛くても、直接分岐ブレーカ１に接続する必要が無いため、分岐ブレーカ１への分岐電路の接続を無理なく実施できる。また、電線３同士は対向させて押しつけて連結されるため、簡易な操作で連結できる。
【００１７】
また、図１では双方の２次側端子１２にコネクタ２を使用しているが、コネクタ２の使用形態としては、一方の端子のみコネクタ２を使用しても良い。図３はこのような使用形態を示し、分岐ブレーカ１の下側となる一方の２次側端子１２のみコネクタ２を使用した状態を示している。
このように、下側の端子に対してのみコネクタ２を使用するだけでも良く、例えば分岐ブレーカ１を分電盤に組み付ける前に接続しておけば、ケーブルＬから取り出した電線３の分岐ブレーカ１への接続は、接続し易い上側の２次側端子１２のみであるため、電線３の接続が容易となる。
【００１８】
次に、コネクタの他の形態を説明する。図４、５はコネクタの他の形態を示し、５がコネクタである。図４は連結前のコネクタ５の斜視図、図５は分岐ブレーカ１に接続した状態を示している。
５ａが雄形コネクタ、５ｂが雌形コネクタであり、雄形コネクタ５ａの形状、雌形コネクタ５ｂの連結孔や接続孔を構成する孔５２の構造は、上記雌形コネクタ２の孔２２の形状と同様であるが、雌形コネクタ５ｂに接続対象の電線３に流れる電流を計測するための変流器５１が組み付けられている点が相違している。
【００１９】
雌形コネクタ５ｂに組み付けられている変流器５１は、ドーナツ形の鉄心（図示せず）を備えて、その中心軸とコネクタ５の中心軸が一致するよう構成されている。即ち、計測対象の電線３が変流器５１の中心を通るよう構成されている。尚、電流情報を取り出す変流器５１の２次側配線は省略している。
【００２０】
このように、コネクタ５に電流計測機能が備わっているため、コネクタ５を使用することで、分岐ブレーカ１への分岐電路の接続を無理なく実施できるし、分岐ブレーカ１に流れる電流も計測でき、分岐ブレーカ１或いは分岐電路に別途電流センサを設けることなく分岐電路の電流を計測することが可能となる。
【００２１】
尚、図５では２次側端子１２の一方の端子に変流器５１を備えたコネクタ５が接続され、他方の端子には図２に示すコネクタ２が接続されているが、上記図３の使用形態のように変流器５１を備えたコネクタ５を一方に使用し、他方の２次側端子１２には直接ケーブルＬの電線３を挿入しても良い。
【符号の説明】
【００２２】
１・・分岐ブレーカ、２・・分岐ブレーカ用コネクタ、２ａ・・雄形コネクタ、２ｂ・・雌形コネクタ、３（３ａ，３ｂ）・・電線、５・・分岐ブレーカ用コネクタ、５ａ・・雄形コネクタ、５ｂ・・雌形コネクタ、１２・・２次側端子、５１・・変流器。
【図１】
2019164912.tif 000003
【図２】
2019164912.tif 000004
【図３】
2019164912.tif 000005
【図４】
2019164912.tif 000006
【図５】
2019164912.tif 000007